(57)【要約】【課題】ステムの押下によってバルブが開放されるプッシュダウンバルブ及びステムの傾動によってバルブが開放されるチルトバルブのどちらのタイプのバルブを備えたエアゾール容器に装着されても、容易に噴射状態を維持して残留ガスを排出することを可能にするエアゾール容器用噴射装置を提供する。【解決手段】エアゾール容器７０の内容物が噴射される噴射口３２を備えたノズル部３０と、ノズル部３０と回動可能に装着された状態で、エアゾール容器７０に装着されるキャップ本体部１０と、を備え、ノズル部３０が、キャップ本体部１０に対して回転されたときにキャップ本体部１０に設けられた係合部と係合して傾斜状態が維持されることによって、プッシュダウンバルブが開放されて噴射口３２からの内容物の噴射状態が維持される。【選択図】図１７
2008137676.tif 000002
【特許請求の範囲】
【請求項１】
エアゾール容器に装着されるエアゾール容器用噴射装置であって、
前記エアゾール容器のバルブステムに装着され、前記バルブステムから噴出された内容物が噴射される噴射口を備えたノズル部と、
前記ノズル部と回動可能に装着された状態で、前記エアゾール容器に装着されるキャップ本体部と、を備え、
前記ノズル部が、前記キャップ本体部に対して回動されて前記キャップ本体部に設けられた係合部と係合すると、前記バルブステムが開放状態に維持され前記噴射口からの内容物の噴射状態が維持されることを特徴とするエアゾール容器用噴射装置。
【請求項２】
前記エアゾール容器用噴射装置は、前記噴射口からの内容物の噴射状態が維持される噴射維持モードと、外力を前記ノズル部へ伝達するボタン操作部が押圧された際に前記噴射口から内容物が噴射される通常噴射モードとに切り替え可能であり、
前記ノズル部は、前記通常噴射モードにおいて前記ボタン操作部と接続され、前記噴射維持モードへ移行するにあたって前記ボタン操作部との接続を解除し、前記キャップ本体部に設けられた係合部と係合することを特徴とする請求項１に記載のエアゾール容器用噴射装置。
【請求項３】
前記キャップ本体部は、前記噴射状態が維持されている場合に前記噴射口からの直接噴射を緩衝する緩衝壁を備えることを特徴とする請求項１または２に記載のエアゾール容器用噴射装置。
【請求項４】
前記ノズル部は、前記バルブステムを開放する際に力が加えられる揺動支持部を備え、
前記キャップ本体部は、前記ノズル部の回動操作を案内するカム部を備え、
前記ノズル部が回転されると、前記揺動支持部は前記カム部に案内され、前記ノズル部が傾斜又は押下されて前記バルブステムが開放されることを特徴とする請求項１から３の何れかに記載のエアゾール容器用噴射装置。
【請求項５】
前記ノズル部は、前記バルブステムの開放状態が維持される位置で、前記ノズル部の回動操作を停止させる回転ストッパーを有し、
前記キャップ本体部の内周壁には、前記回転ストッパーと当接する２つの支軸が対向配置され、前記ノズル部の回動操作に伴い、前記回転ストッパーが一方の前記支軸に当接した状態から他方の前記支軸に当接した状態へ移行することを特徴とする請求項１から４の何れかに記載のエアゾール容器用噴射装置。
【請求項６】
前記ノズル部は、前記回動操作の開始位置を知らせる突起部を有し、
前記カム部は、２つの支持片を介して前記キャップ本体部の内周壁と接続されており、
前記突起部が前記２つの支持片の間に位置する状態が解除されると回動操作が開始されることを特徴とする請求項１から５の何れかに記載のエアゾール容器用噴射装置。
【発明の詳細な説明】
【技術分野】
【０００１】
本発明は、エアゾール容器用噴射装置に関し、特に噴射状態を維持して残留ガスを排出する機構を有するエアゾール容器用噴射装置に関する。
【背景技術】
【０００２】
消臭剤や殺虫剤等のように、エアゾール容器の内容物を噴射口から外部へ噴射させるエアゾール製品が知られている。一般に、消臭剤や殺虫剤等のエアゾール製品に使われているエアゾール容器の内部には液状、粉状の内容物と一緒に噴射剤として圧縮された可燃性ガスが充填されており、エアゾール容器に装着された噴射装置によってバルブの開閉を行い、内容物を噴射するように構成されている。
【０００３】
特許文献１のエアゾール容器用噴射装置は、ステムに嵌合され内容物の噴射口を上部に備えるノズルと、エアゾール容器に嵌合されノズルの外側を囲むとともに上端部に噴射口から噴射される内容物用の開口部を備えたワンタッチキャップと、このワンタッチキャップに設けられノズルの噴射口の上方の開口部を覆って誤使用を防止する誤使用防止位置およびノズル側方に回動されて押圧することでノズルを操作して内容物を噴射する噴射使用位置の間を回動可能に設けられたキャップ兼用操作ボタンと、を備えるようにしており、ワンタッチキャップに設けたキャップ兼用操作ボタンでノズル上部の開口部を覆うことで誤使用を防止でき、このキャップ兼用操作ボタンをノズルの側方に回動して押すことでノズルを介して噴射することができるようになっている。
【０００４】
【特許文献１】特開２００３−２２１０５９号公報
【発明の開示】
【発明が解決しようとする課題】
【０００５】
ところで、エアゾール容器は、液状、粉状の内容物を使い切った後でも内容物放出用の可燃性ガスが残っていることが多い。可燃性ガスは火気があれば引火して爆発燃焼する可能性のあるガスであるため、可燃性ガスが残ったままの状態でエアゾール容器を廃棄すると思わぬ事態が生じかねない。このため、特許文献１に記載のチルトバルブを備えたエアゾール容器用噴射装置においても、残留ガスを全て排出させてからエアゾール容器を廃棄することが求められる。
【０００６】
特許文献１に記載のエアゾール噴射装置の場合、ノズルを傾動させることによって、ステムを押し込む、あるいはステムを傾動させて内容物を噴射させることはできるが、噴射状態を維持することができない。このため、残留ガスを確実に排出させることが困難である。
【０００７】
そこで、本発明は、ステムの押下によってバルブが開放されるプッシュダウンバルブ及びステムの傾動によってバルブが開放されるチルトバルブの何れのタイプのバルブを備えたエアゾール容器に装着されても、容易に噴射状態を維持して残留ガスを排出することを可能にするエアゾール容器用噴射装置を提供することを目的とする。
【課題を解決するための手段】
【０００８】
上記課題を解決することのできる本発明は、エアゾール容器に装着されるエアゾール容器用噴射装置であって、前記エアゾール容器のバルブステムに装着され、前記バルブステムから噴出された内容物が噴射される噴射口を備えたノズル部と、前記ノズル部と回動可能に装着された状態で、前記エアゾール容器に装着されるキャップ本体部と、を備え、前記ノズル部が、前記キャップ本体部に対して回動されて前記キャップ本体部に設けられた係合部と係合すると、前記バルブステムが開放状態に維持され前記噴射口からの内容物の噴射状態が維持されることを特徴とする。
【０００９】
上記構成によれば、ノズル部がキャップ本体部に対して回動されてキャップ本体部に設けられた係合部と係合すると、バルブステムの開放状態が維持されるよう構成されている。したがって、ユーザーはノズル部がキャップ本体部に対して回動させるだけで噴射状態を維持することができ、残留ガスを容易かつ確実に排出させることができる。
【００１０】
また、本発明のエアゾール容器用噴射装置は、前記噴射口からの内容物の噴射状態が維持される噴射維持モードと、外力を前記ノズル部へ伝達するボタン操作部が押圧された際に前記噴射口から内容物が噴射される通常噴射モードとに切り替え可能であり、
前記ノズル部は、前記通常噴射モードにおいてボタン操作部と接続され、前記噴射維持モードへ移行するにあたって前記ボタン操作部との接続を解除し、前記キャップ本体部に設けられた係合部と係合することを特徴とする。
【００１１】
上記構成によれば、ノズル部は通常噴射モードにおいてボタン操作部と接続されており、噴射維持モードへ移行するにあたってボタン操作部との接続を解除することができるよう構成されている。したがって、ユーザーは、ノズル部とボタン操作部との接続状態を切り替えることで、明確に区別することができるので、誤って噴射維持モードへ移行させてしまうような誤操作を防止することができる。
【００１２】
また、本発明において、前記キャップ本体部は、前記噴射状態が維持されている場合に前記噴射口からの直接噴射を緩衝する緩衝壁を備えることを特徴とする。
上記構成によれば、噴射口からの噴射の勢いを緩衝することができるので、噴射維持状態においてもユーザーに目掛けて勢いよく噴射されるような事態を回避することができる。
【００１３】
また、本発明は、前記ノズル部は、前記バルブステムを開放する際に力が加えられる揺動支持部を備え、前記キャップ本体部は、前記ノズル部の回動操作を案内するカム部を有し、前記ノズル部が回転されると、前記揺動支持部は前記カム部に案内され、前記ノズル部が傾斜又は押下されて前記バルブステムが開放されることを特徴とする。
【００１４】
上記構成によれば、回動動作がカム部によって案内されるので、ユーザーはノズル部に回動動作を与えるだけで容易に噴射状態を維持することが可能である。
【００１５】
また、本発明において、前記ノズル部は、前記バルブステムの開放状態が維持される位置で、前記ノズル部の回動操作を停止させる回転ストッパーを有し、前記キャップ本体部の内周壁には、前記回転ストッパーと当接する２つの支軸が対向配置され、前記ノズル部の回動操作に伴い、前記回転ストッパーが一方の前記支軸に当接した状態から他方の前記支軸に当接した状態へ移行することを特徴とする。
【００１６】
上記構成によれば、ノズル部の回動動作において、回転ストッパーが一方の支軸に当接した状態から他方の支軸に当接した状態へ移行するので、ユーザーは、噴射維持モードへ移行させるのに必要な分だけノズル部が回動したことを感覚的に認識することができるとともに、回動しすぎることを防止することが可能となる。
【００１７】
また、本発明において、前記ノズル部は、前記回動操作の開始位置を知らせる突起部を有し、前記カム部は、２つの支持片を介して前記キャップ本体部の内周壁と接続されており、前記突起部が前記２つの支持片の間に位置する状態が解除されると回動操作が開始されることを特徴とする。
【００１８】
上記構成によれば、突起部が２つの支持片の間に位置する状態が解除されると回動動作が開始されるよう構成されている。したがって、ユーザーは、突起部が２つの支持片の間に位置する状態が解除されたことで、感覚的に回動の開始を認識することができ、操作性に優れたエアゾール用噴射装置を提供することが可能である。
【発明を実施するための最良の形態】
【００１９】
以下、本発明に係るエアゾール容器用噴射装置の実施形態を図面を参照しつつ詳細に説明する。
図１〜図６に基づいて本発明に係るエアゾール容器用噴射装置１のキャップ本体部１０の構造を説明し、図７〜図１０に基づいて本発明に係るエアゾール容器用噴射装置１のノズル部３０の構造を説明し、図１１に基づいて、本発明に係るエアゾール容器用噴射装置１のボタン操作部４０の構造を説明し、図１２に基づいて、本発明に係るエアゾール容器用噴射装置１のロック部材５０の構造を説明し、図１３に基づいて、本発明に係るエアゾール容器用噴射装置１の構造を説明し、図１４及び図１５に基づいて通常噴射モードを説明し、図１６及び図１７に基づいて残留ガス排出モードを説明する。
【００２０】
（キャップ本体部の構成について）
エアゾール容器用噴射装置１のキャップ本体部１０は、外周壁１１が略円筒状に形成され（図１および図２参照）、外周壁１１の内側に内周壁１２が同軸上に形成されている（図３〜図６参照）。図１及び図３に示すように、キャップ本体部１０の正面上部は、キャップ本体部の上方から下方に向かって上り勾配を形成する傾斜面１３が形成され、傾斜面１３には開口部１４が形成されている。後述するボタン操作部４０は開口部１４に挿入されて装着される。また、図２及び図４に示すように、キャップ本体部１の頂部には、後述するノズル部３０のノズル３１の噴射口３２から噴射された内容物を外部へ放出するための長円形状の放出口１５が開口している。
【００２１】
図１及び図３に示すように、開口部１４は断面視略Ｔ字形状を有し、Ｔ字の縦棒の開口２５は、その両側のストッパー部２６，２７によって形成されている。また、ストッパー部２６，２７の下端部には、ボタン操作部４０の回転軸４１（図１１参照）が嵌合する嵌合溝２８が形成されている。ボタン操作部４０をキャップ本体部に取り付けるには、回転軸４１に対して垂直に伸びた操作部基板４２をストッパー部２６，２７との間のＴ字開口から挿入し、回転軸４１を嵌合溝２８へ嵌合させることで取り付けを行う。
【００２２】
内周壁１２には、図４に示すように、４つの支軸１６，１９，２３，２４がキャップ本体部１０の中心方向に向かって突出している。４つの支軸は、それぞれ相対向する位置に均等間隔に配置され、そのうち支軸１６，２３は、支軸１９，２４よりも、中心部に向かって大きく突出している。
【００２３】
図４に示すように、内周壁１２よりもさらに中心部に近い開放口１５付近には、ノズル部３０を垂直状態から傾斜状態へ案内するためのカム６０が形成されている。図６に示すように、カム６０は、鉛直ガイド溝２９を形成しており、図６に示すように、鉛直方向に延びるように形成されている。案内面２０は、鉛直ガイド溝２９の中央から下方に向かって下り勾配に形成され、さらに保持面２１（係合部）は、案内面２０の下端部に形成されている。また、カム６０の先端は内周壁１２と支持片１７，２２を介して接続されており、支持片１７と内周壁１２とで溝６１を形成し、支持片２２と内周壁１２とで溝６２を形成している。
【００２４】
（ノズル部の構成について）
図７及び図８に示すように、ノズル部３０は、略円筒形状のノズル基盤３６から、それよりも径の小さく同軸円状のノズル支持部３７が上方に突出し、さらにその中心部から同軸円状のノズル３１が鉛直上向きに突出している。ノズル基盤３６は、エアゾール容器の天蓋に装着されるとともに、ノズル３１はエアゾール容器のバルブステムに装着され、ノズルが傾動することでバルブステムが開放されて内容物が噴射口３２から噴射される。
【００２５】
図７に示すように、ノズル部３０の正面中央には揺動支持部３８が形成されており、後述するボタン操作部４０の嵌合溝４３と嵌合することで、ボタン操作部４０とノズル部３０が連結される。ノズル部３０の後方中央部（揺動支持部３８の反対側）は、通常噴射モードにおいてノズル部３０が傾動する際の支点部３９となっている。さらに、図７及び図９に示すように、ノズル支持部３７の正面及び後方部には、鉛直上方に向かって突起部３４，３５が突出している。また、ノズル支持部３７の側壁のうち、突起部３５と揺動支持部３８との略中間位置には、回転ストッパー３３が突出している。回転ストッパー３３の機能については後ほど説明する。
【００２６】
（ボタン操作部、ロック部材の構成について）
図１１に示すように、ボタン操作部４０は、平面基板４４の略中央に正方形状の開口部４５が形成され、平面基板４４の裏面からは操作部基板４２が突出形成されている。操作基板４２の下部には、ボタン操作部４０の回転軸４１が平面基板４４と直交するよう設けられ、さらに、回転軸４１の後方には嵌合溝４３が形成されている。
ロック部材５０は、ボタン操作部４０の平面基板４４より全体的にやや小さめの平面基板５１を有し、平面基板５１の裏面からは、ボタン操作部４０の開口部４５を介して操作部基板４２と係合するロック片５２，５２が突出形成されている。
【００２７】
（エアゾール容器用噴射装置の構成について）
本実施形態のエアゾール容器用噴射装置１は、上述した、キャップ本体部１０と、ノズル部３０と、ボタン操作部４０と、ロック部材５０とによって構成されている。
図１３に示すように、エアゾール容器７０の天蓋部７１にノズル部３０を装着させ、キャップ本体部１０をエアゾール容器７０のマウンテンカップ７２に装着させるとともに、内周壁１２によってノズル部３０を狭持するよう装着する。
次に、ロック部材５０のロック片５２とボタン操作部４０の操作部基板４２とを係合させた状態で、ボタン操作部４０の回転軸４１をキャップ本体部１０の嵌合溝２８へ嵌合させるとともに、ボタン操作部４０の嵌合溝４３にノズル部３０の揺動支持部３８を嵌合させる。
【００２８】
なお、ロック部材５０をボタン操作部４０に装着させた後、図１３に示す矢印Ｘ方向にロック部材５０を下げると、ロック片５２の先端部５３，５３がキャップ本体部１０のストッパー部２６，２７に当接し、矢印Ｙ方向からの操作によってボタン操作部４０が回動することがなく、噴射状態をロックすることができる。図１３は、噴射ロック状態を示している。
【００２９】
一方、図１４に示すように、ロック部材５０を矢印Ｚ方向へ上げると、ロック片５２の先端部５３，５３とキャップ本体部１０のストッパー部２６，２７との当接状態が解除され、キャップ本体部１０の横方向からの操作によって、ボタン操作部４０の回動が可能となり噴射状態へ移行させることができる。
【００３０】
（エアゾール用噴射装置の通常噴射モードについて）
図１４及び図１５に示すように、ロック片５２の先端部５３，５３とキャップ本体部１０のストッパー部２６，２７との当接状態が解除され、噴射状態のロックを解除し、矢印Ｆ方向からロック部材５０を介してボタン操作部４０を操作すると、ボタン操作部４０の回転軸４１を支軸として、ボタン操作部４０が回動するとともに、ノズル部３０の揺動支持部３８を支軸としてノズル３１が前方に向かって傾動する。
ノズル３１が傾動することによって、エアゾール容器７０のバルブステム７３が開放され、エアゾール容器７０の内容物が噴射口３２より噴射される。
【００３１】
（エアゾール用噴射装置の残留ガス排出モード（噴射維持モード）について）
図１６及び図１７に示すように、ボタン操作部４０を矢印Ｇ方向に引き出し、ボタン操作部４０の嵌合溝４３とノズル部３０の揺動支持部３８との嵌合状態を解除し、ノズル部３０をエアゾール容器７０に対して単独で回転可能にする。この状態からエアゾール容器を狭持しながら、ノズル部３０が１８０度回転されると、揺動支持部３８がキャップ本体部１０のカム６０の案内面２０の勾配に案内されて傾斜し、保持面２１まで案内されると傾斜状態が維持され、バルブステムの開放状態が維持されて、残留ガスを排出することができる。
【００３２】
本実施形態では、ノズル部３０の１８０度の回転動作に伴い、回転ストッパー３３が一方の支軸２３に当接した状態から他方の支軸１６に当接した状態へ移行することで、ユーザーは、ノズル部３０が１８０度だけ回転したことを感覚的に認識することができるとともに、回動しすぎることを防止することが可能となる。
【００３３】
また、通常噴射モードにおいて、突起部３５は２つの支持片１７，２２の間に位置する状態に保持されており、残留ガス排出モード（噴射維持モード）へ移行させる際に、回転力が加えられることによって、突起部３５が支持片１７を乗り越えて、突起部３５は２つの支持片１７，２２の間に位置する状態が解除されると、回動動作が開始されるよう構成されている。したがって、ユーザーは、突起部３５が２つの支持片１７，３５の間に位置する状態が解除されたことで、感覚的に回転の開始を認識することができ、操作性に優れたエアゾール用噴射装置を提供することが可能である。
【００３４】
なお、本実施形態では、プッシュダウンバルブを備えたエアゾール容器に装着されたエアゾール容器用噴射装置について説明したが、本実施形態のエアゾール容器用噴射装置１は、チルトバルブを備えたエアゾール容器にも採用することができるのは勿論である。
【００３５】
（エアゾール容器用噴射装置の変形例について）
次に、上記説明した、エアゾール容器用噴射装置の変形例について説明する。
図１８は、変形例のエアゾール容器用噴射装置を構成するキャップ本体部の底面図である。図１９は、図１８のＦ−Ｆ線断面図である。なお、上記実施形態と同様の構成部位に関する説明は省略する。
【００３６】
エアゾール容器用噴射装置１００を構成するキャップ本体部１１０は、ノズル部１３０の噴射口１３２から内容物の噴射状態が維持されている場合に、噴射口１３２からの直接噴射を緩衝する緩衝壁１１１を備えた構成となっている。緩衝壁１１１によって噴射口１３２からの噴射の勢いを緩衝することができるので、噴射維持状態においてもユーザーに目掛けて勢いよく内容物が噴射されるような事態を回避することができる。
【図面の簡単な説明】
【００３７】
【図１】本実施形態にかかるエアゾール容器用噴射装置を構成するキャップ本体部の正面図である。
【図２】本実施形態にかかるエアゾール容器用噴射装置を構成するキャップ本体部の上面図である。
【図３】図１のＡ−Ａ線断面図である。
【図４】本実施形態にかかるエアゾール容器用噴射装置を構成するキャップ本体部の底面図である。
【図５】図２及び図３のＢ−Ｂ線断面図である。
【図６】図４のＣ−Ｃ線断面図である。
【図７】本実施形態にかかるエアゾール容器用噴射装置を構成するノズル部の正面図である。
【図８】本実施形態にかかるエアゾール容器用噴射装置を構成するノズル部の底面図である。
【図９】本実施形態にかかるエアゾール容器用噴射装置を構成するノズル部の上面図である。
【図１０】図８のＤ−Ｄ線断面図である。
【図１１】（ａ）は、本実施形態にかかるエアゾール容器用噴射装置を構成するボタン操作部の正面図である。（ｂ）は、（ａ）図のＤ−Ｄ線断面図である。
【図１２】（ａ）は、本実施形態にかかるエアゾール容器用噴射装置を構成するロック部材の正面図である。（ｂ）は、（ａ）図のＥ−Ｅ線断面図である。
【図１３】噴射ロック状態におけるエアゾール容器用噴射装置の断面図である。
【図１４】噴射ロック解除状態におけるエアゾール容器用噴射装置の断面図である。
【図１５】通常噴射モードにおけるエアゾール容器用噴射装置の断面図である。
【図１６】残留ガス排出モードにおけるエアゾール容器用噴射装置の断面図である。
【図１７】残留ガス排出モードにおける噴射状態を示すエアゾール容器用噴射装置の断面図である。
【図１８】変形例のエアゾール容器用噴射装置を構成するキャップ本体部の底面図である。
【図１９】図１８のＦ−Ｆ線断面図である。
【符号の説明】
【００３８】
１,１００：エアゾール容器用噴射装置、１０,１１０：キャップ本体部、１２：内周壁、１６，２３：支軸、１７，２２：支持片、３０,１３０：ノズル部、３２,１３２：噴射口、３３：回転ストッパー、３４，３５：突起部、３８：揺動支持部、６０：カム部、７０：エアゾール容器、７３：バルブステム
【図１】
2008137676.tif 000003
【図２】
2008137676.tif 000004
【図３】
2008137676.tif 000005
【図４】
2008137676.tif 000006
【図５】
2008137676.tif 000007
【図６】
2008137676.tif 000008
【図７】
2008137676.tif 000009
【図８】
2008137676.tif 000010
【図９】
2008137676.tif 000011
【図１０】
2008137676.tif 000012
【図１１】
2008137676.tif 000013
【図１２】
2008137676.tif 000014
【図１３】
2008137676.tif 000015
【図１４】
2008137676.tif 000016
【図１５】
2008137676.tif 000017
【図１６】
2008137676.tif 000018
【図１７】
2008137676.tif 000019
【図１８】
2008137676.tif 000020
【図１９】
2008137676.tif 000021